(57)【特許請求の範囲】
【請求項１】
一対の側板（１１）の上面に天板（１２）を取り付けて配管をカバーするように構成された直線ダクト（２）と、前記直線ダクト（２）の末端開口部（７）を塞ぐエンドキャップ（８）とを備え、
前記側板（１１）は、上下方向の中央部（１３）に対し下端部を前記エンドキャップ（８）の板厚以上の段差（Ｔ）で内側方向に位置させる段差部（１５）を有し、
前記エンドキャップ（８）は、前記末端開口部（７）を覆う平板状の蓋板部（２１）と、前記蓋板部（２１）の上端部を前記直線ダクト（２）の内側に向かって折り曲げた上縁折曲片（２２）と、両側辺の端部を前記直線ダクト（２）の内側に向かって折り曲げた側縁折曲片（２３）とを有し、
前記側縁折曲片（２３）は、前記段差部（１５）を前記直線ダクト（２）の長手方向にスライド的に挿入させるスリット（３１）を有し、
前記上縁折曲片（２２）、及び前記側縁折曲片（２３）における前記スリット（３１）より上方の部分は、前記段差部（１５）が前記スリット（３１）に挿入された状態において前記直線ダクト（２）内に挿入され、
前記側縁折曲片（２３）における前記スリット（３１）より下方の部分は、前記段差部（１５）が前記スリット（３１）に挿入された状態において、前記スリット（３１）より下方の前記側板（１１）の外面を覆うように構成されている
配管用ダクトにおける末端開口部の閉塞構造。
【請求項２】
前記エンドキャップ（８）は、前記蓋板部（２１）の下端部を前記直線ダクト（２）の内側に向かって折り曲げた下縁折曲片（２４）を有し、
前記下縁折曲片（２４）は、前記段差部（１５）が前記スリット（３１）に挿入された状態において、前記直線ダクト（２）の底面先端部と前記蓋板部（２１）との間を覆うように構成されている
請求項１記載の配管用ダクトにおける末端開口部の閉塞構造。
【請求項３】
前記スリット（３１）は、前記直線ダクト（２）に対する前記エンドキャップ（８）の位置決めをするように位置及び長さが設定されている
請求項１又は請求項２記載の配管用ダクトにおける末端開口部の閉塞構造。
【請求項４】
前記エンドキャップ（８）を前記末端開口部（７）に固定する固定具を有し、
前記固定具は、前記段差部（１５）の先端が前記スリット（３１）の終端に当接するように前記エンドキャップ（８）を前記直線ダクト（２）内へスライドさせることにより、前記側板（１１）と前記側縁折曲片（２３）とを上下２個所において係合する爪係合具（３２）である
請求項１〜請求項３の何れか１項に記載の配管用ダクトにおける末端開口部の閉塞構造。
【請求項５】
前記固定具は、前記側板（１１）に形成されたねじ挿通孔（３３ｂ）と、前記側縁折曲片（２３）に形成されたねじ孔（３３ａ）と、前記ねじ挿通孔（３３ｂ）から挿入して前記ねじ孔（３３ａ）に螺合するねじ（３３ｃ）とを備えたねじ止め具（３３）をさらに有し、
前記段差部（１５）の先端が前記スリット（３１）の終端に当接するように前記エンドキャップ（８）を前記直線ダクト（２）内へスライドさせることにより、前記ねじ挿通孔（３３ｂ）と前記ねじ孔（３３ａ）とが位置合わせされるように構成されている
請求項４記載の配管用ダクトにおける末端開口部の閉塞構造。
【発明の詳細な説明】
【技術分野】
【０００１】
本発明は、ビルの屋上等に敷設される空調機用冷媒配管をカバーする配管用ダクトに関し、特に、配管用ダクトにおける末端開口部の閉塞構造に関する。
【背景技術】
【０００２】
ビル空調として近年多く用いられている空気調和設備は、室内ユニットが各空調室内に配置され、室外ユニットが建物の屋上に設置されている。また、このように設置された室内外ユニットは、冷媒配管によって接続されるため、室内外ユニット間を接続する冷媒配管がビルの屋上に敷設されていた。また、このような冷媒配管は、特許文献１〜３に記載されているように、冷媒配管および冷媒配管を覆う断熱材を保護するために配管用ダクト内に配置されていた。したがって、配管用ダクトは、ビル内から屋上へ配管を導出す個所に建てられる所謂ハト小屋から各室外ユニットに至る全経路に亘り冷媒配管をカバーするものとして敷設されていた。
【先行技術文献】
【特許文献】
【０００３】
【特許文献１】特開平１１−１３２３６１号公報
【特許文献２】特開平７−２４３５８３号公報
【特許文献３】特公平４−５８７７号公報
【発明の概要】
【発明が解決しようとする課題】
【０００４】
ところで、近年は配管用ユニットについても見栄えのするものが好まれるようになってきた。しかし、従来の配管用ダクトは、特許文献１〜３の記載を見ても分かるように、末端開口部の見栄えについてまでは関心が払われておらず、開放端とされていた。このため、従来の配管用ダクトにおける末端開口部の外観は良好とはいえない状況にあった。
【０００５】
本発明は、かかる点に鑑みなされたものであり、配管用ダクトの施工作業の工数アップを抑制しながら見栄えを向上させた、配管用ダクトにおける末端開口部の閉塞構造を提供することを目的とする。
【課題を解決するための手段】
【０００６】
上記課題を解決する配管用ダクトにおける末端開口部の閉塞構造は、一対の側板の上面に天板を取り付けて配管をカバーするように構成された直線ダクトと、前記直線ダクトの末端開口部を塞ぐエンドキャップとを備え、前記側板は、上下方向の中央部に対し下端部を前記エンドキャップの板厚以上の段差を付けて内側方向に位置させる段差部を有し、前記エンドキャップは、前記末端開口部を覆う平板状の蓋板部と、前記蓋板部の上端部を前記直線ダクトの内側に向かって折り曲げた上縁折曲片と、両側辺の端部を前記直線ダクトの内側に向かって折り曲げた側縁折曲片とを有し、前記側縁折曲片は、前記段差部を前記直線ダクトの長手方向にスライド的に挿入させるスリットを有し、前記上縁折曲片、及び前記側縁折曲片における前記スリットより上方の部分は、前記段差部が前記スリットに挿入された状態において前記直線ダクト内に挿入され、前記側縁折曲片における前記スリットより下方の部分は、前記段差部が前記スリットに挿入された状態において、前記スリットより下方の前記側板の外面を覆うように構成されている。
【０００７】
このような構成によれば、直線ダクトの段差部がスリット内にスライドするようにエンドキャップを直線ダクト内に挿入させることにより、エンドキャップを所定位置近傍で仮止めすることができるので、取付が容易である。また、エンドキャップを取り付けることにより、直線ダクトの末端開口部が閉塞されると同時に直線ダクトの末端開口部の下端部がエンドキャップの側縁折曲片で覆われるので、直線ダクトの末端開口部付近の見栄えが良好になる。
【０００８】
また、前記エンドキャップは、前記蓋板部の下端部を前記直線ダクトの内側に向かって折り曲げた下縁折曲片を有し、前記下縁折曲片は、前記段差部が前記スリットに挿入された状態において、前記直線ダクトの底面先端部と前記蓋板部との間を覆うように構成されていてもよい。
このように構成すれば、直線ダクトの末端開口部にエンドキャップを取り付けた状態において、直線ダクトの底面先端部とエンドキャップとの間に隙間が形成されないので、より一層見栄えが向上する。
【０００９】
また、前記スリットは、前記直線ダクトに対する前記エンドキャップの位置決めをするように位置及び長さが設定されているようにしてもよい。
このように構成すれば、エンドキャップを直線ダクト内に挿入するだけで最終的に位置決めされるので、取付作業が容易になる。
【００１０】
また、このような配管用ダクトにおける末端開口部の閉塞構造において、前記エンドキャップを前記末端開口部に固定する固定具を有し、前記固定具は、前記段差部の先端が前記スリットの終端に当接するように前記エンドキャップを前記直線ダクト内へスライドさせることにより、前記側板と前記側縁折曲片とを上下２個所において係合する爪係合具であるようにしてもよい。
このように構成すれば、段差部をスリット内にスライドさせながらエンドキャップを直線ダクトの末端開口部に挿入するだけで、エンドキャップが爪係合具により所定位置に固定される。
【００１１】
また、前記固定具は、前記側板に形成されたねじ挿通孔と、前記側縁折曲片に形成されたねじ孔と、前記ねじ挿通孔から挿入して前記ねじ孔に螺合するねじとを備えたねじ止め具をさらに有し、前記段差部の先端が前記スリットの終端に当接するように前記エンドキャップを前記直線ダクト内へスライドさせることにより、前記ねじ挿通孔と前記ねじ孔とが位置合わせされるように構成されているようにしてもよい。
このように構成すれば、段差部をスリット内にスライドさせながらエンドキャップを直線ダクトの末端開口部に挿入するだけで、爪係合具を係合させるとともに、ねじ止め具の孔の位置合わせが行われるので、ねじ止め具の締結作業が容易化される。
【発明の効果】
【００１２】
上記発明によれば、直線ダクトの末端開口部にエンドキャップを簡易に取り付け可能とすることにより、配管用ダクトの施工作業の工数アップを抑制しながら見栄えを向上させることができる。
【図面の簡単な説明】
【００１３】
【図１】本実施の形態に係る配管用ダクトの全体構成を示す斜視図。
【図２】同配管用ダクトを構成する直線ダクトの末端開口部付近の外観斜視図。
【図３】直線ダクトの末端開口部からエンドキャップを取り外した状態の分解斜視図。
【図４】同直線ダクトの説明図であって、（ａ）は天板を取り外した状態の分解斜視図、（ｂ）は天板を取り外した状態の末端開口部付近の拡大斜視図、（ｃ）は図４（ｂ）における直線ダクトの側板のＡ−Ａ断面図。
【図５】エンドキャップの内側を下方から見た外観斜視図。
【図６】エンドキャップの下方の爪係合具周りの拡大斜視図であって、（ａ）はエンドキャップ取付前の状態図、（ｂ）はエンドキャップ取付後の状態図。
【図７】爪係合具の噛み合い工程を説明する爪係合具の断面図であって、（ａ）はエンドキャップ挿入の初期段階における爪部が係合孔に侵入する前の水平断面図、（ｂ）はエンドキャップ挿入の中間段階において爪部が係合孔に侵入したときの水平断面図、（ｃ）はエンドキャップ挿入の最終段階において爪部が係合孔に侵入し所定位置で噛み合っているときの水平断面図、（ｄ）は図７（ｃ）の状態における垂直断面図。
【図８】図２におけるＢ−Ｂ断面図。
【発明を実施するための形態】
【００１４】
以下、本発明の実施の形態に係る配管用ダクトにおける末端開口部の閉塞構造について説明する。なお、本発明は、以下に記載する例示に限定されるものではなく、特許請求の範囲によって示され、特許請求の範囲と均等の意味および範囲内での全ての変更が含まれることが意図される。
【００１５】
（配管用ダクトの全体構成）
先ず本実施の形態に係る配管用ダクトの全体構成について説明する。
本実施の形態に係る配管用ダクトは、図１に示すように、簡単な構成例のものである。この例における配管用ダクトは、ビル内から屋上に導出される室内外ユニット間を接続する冷媒配管をカバーする。配管用ダクトは、各室外ユニット１からの冷媒配管を集合させながらカバーするように３個の直線ダクト２が配置され、立面エルボ４５°セット３、及びウォールプレート４を介してハト小屋５に接続されている。直線ダクト２及び立面エルボ４５°セット３は、適宜間隔で設置した橋脚状の架台６上に取り付けられている。そして、ハト小屋５から最も遠い直線ダクト２における末端開口部７が、エンドキャップ８により閉塞されている。
【００１６】
（直線ダクトの構成）
次に、配管用ダクトに使用される直線ダクト２について説明する。
直線ダクト２は、図２、図３、図４に示すように、一対の側板１１と、この側板１１の上面に取り付けられる天板１２とを備えている。
【００１７】
次に、一対の側板１１について説明する。なお一対の側板は対象的に形成されているので、以下の説明においては一方の構成についての説明とする。
図４（ｃ）に示すように、側板１１は、高さ方向の半分以上の寸法を占める中央部１３が平板状に形成され、その上下にエンドキャップ８の板厚より少し大きい段差Ｔを有して側板１１の上方部及び下方部を内側に位置させる段差部１４、１５が形成されている。段差部１４，１５は、側板１１の強度を向上させるためのものである。上の段差部１４の上方部における段差部１４に近い部分は、中央部１３と平行な平板状に形成されている。そして、図４（ｂ）に示すように、この平板状の上端には、内方に折り曲げられた水平上縁部１６が形成されている。また、下の段差部１５の下方部における段差部１５に近い部分は、中央部１３と平行な平板状に形成されている。そして、この平板状の下端には、内方に折り曲げられた水平下縁部１７が形成されている。また、側板１１における中央部１３の端部には、後述するエンドキャップ８に形成されたスライド突起部３４を係合させるための係合孔３５が上下に形成され、その中間高さ位置にねじ止め具３３のねじ挿通孔３３ｂが１個形成されている。なお、この係合孔３５及びねじ挿通孔３３ｂは、直線ダクト２同志を接続するときのジョイント部材に形成されたスライド突起部を係合する場合にも用いられるので、直線ダクト２における長手方向の両端部に同様に形成されている。
【００１８】
このように形成された一対の側板１１は、図４（ａ）に示すように、水平上縁部１６間に架け渡されるダクト補助板１８により連結されている。ダクト補助板１８は、直線ダクトの長手方向に適宜のピッチで取り付けられている。
【００１９】
また、図４（ａ）に示すように、一対の側板１１は、水平下縁部１７間に架け渡されるダクト子桁１９により連結されている。ダクト子桁１９は、直線ダクトの長手方向に適宜のピッチで取り付けられている。ダクト子桁１９は、水平下縁部１７に対しねじ止めされる。
【００２０】
天板１２は、図２、図３、図４（ａ）等に示すように、側板１１に対し直角の方向、すなわち、幅方向の端部付近に天板１２の強度を向上させるための段部が形成されている。そして、この段部の中間が上方に突出した平面形状部を成し、段部の外側の両端縁部が側板１１の水平上縁部１６に対する取付片を成している。また、天板１２における段部から平面形状部にかけての突出空間部は、ダクト補助板１８の略Ｕ字状の溝形部分を収めるように構成されている。このように構成された天板１２は、図４（ａ）に示すようにねじ１２ｂにより、側板１１の水平上縁部１６に適宜のピッチでねじ止めされている。そのために、天板１２には複数のねじ挿通孔１２ａが形成され、側板１１の水平上縁部１６にはねじ孔１６ａが形成されている。
【００２１】
（エンドキャップの構造）
次に、エンドキャップ８の構造について説明する。
エンドキャップ８は、図３及び図５に示すように、末端開口部７を覆う平板状の蓋板部２１を有し、その縁部に形成した折曲片を直線ダクト２の末端開口部７から内部へ差し込んで固定される。また、エンドキャップ８は、直線ダクト２内に差し込まれた後、蓋板部２１の外表面と天板１２の先端位置とが一致する状態で固定されるように構成されている。
【００２２】
このため、蓋板部２１は、直線ダクト２の断面形状に一致する形状となっており、上端部におけるダクトの幅方向端部が斜め方向にカットされて一段低い段状を成すように形成されている。そして、エンドキャップ８は、蓋板部２１の上端部を直線ダクト２の内側に向かって折り曲げた上縁折曲片２２と、蓋板部２１の両側辺の端部を直線ダクト２の内側に向かって折り曲げた側縁折曲片２３とを有する。また、エンドキャップ８は、蓋板部２１の下端部を直線ダクト２の底面の先端に向かって折り曲げた下縁折曲片２４と、前記上方端部の斜め方向の縁部を直線ダクト２の内側に向かって折り曲げた傾斜折曲片２５を有する。さらに、エンドキャップ８は、側縁折曲片２３の上端を傾斜折曲片２５側に折り曲げた補助上縁折曲片２６と、側縁折曲片２３の下端を下縁折曲片２４側に折り曲げた補助下縁折曲片２７とを有する。
【００２３】
上記折曲片のうち、上縁折曲片２２及び補助上縁折曲片２６は、エンドキャップ８が安定的に挿入位置を保持できるようにするために、天板１２の先端位置から所定の寸法挿入される折り曲げ長さに設定されている。側縁折曲片２３は、側板１１の内面に沿うように挿入された部位において、エンドキャップ８を直線ダク２トの末端開口部７に固定するための固定具が形成されている。側縁折曲片２３は、そのために必要な大きさの折り曲げ長さに設定されている。下縁折曲片２４及び補助上縁折曲片２６は、直線ダクト２の底面の先端と蓋板部２１との間に隙間が形成されるのを避けるためのものであって、直線ダクト２の底面の先端部に至る程度の小さな折り曲げ長さに設定されている。
【００２４】
（エンドキャップの取付構造）
エンドキャップ８の取付構造として、その取付を容易にするためのスライド機構が形成されている。
ここに言うスライド機構は、図６（ａ）及び図６（ｂ）に示すように、側縁折曲片２３にスリット３１を設け、エンドキャップ８を末端開口部７から挿入したときにスリット３１に直線ダクト２の側板１１の下方に形成された段差部１５がスライド式に挿入される構成である。スリット３１の幅は段差部１５を挿入できる程度に設定され、スリット３１の長さは段差部１５がスリットの先端部に当たるまで挿入したときに、エンドキャップ８が所定の位置にくるように設定されている。
【００２５】
また、このように挿入されたエンドキャップ８を固定する固定具として、図６（ｂ）に示すように爪係合具３２とねじ止め具３３とが形成されている。
爪係合具３２は、側縁折曲片２３に形成されたスライド突起部３４と側板１１に形成された係合孔３５とから構成されている。爪係合具３２は、段差部１５がスリット３１内にスライド式に挿入されるときに、側縁折曲片２３に形成されたスライド突起部３４が側板１１に形成された係合孔３５に挿入されるように構成されたものである。
【００２６】
図６（ａ）に示すように、スライド突起部３４は、側縁折曲片２３の一部分を外側に突出させたものであって、外表面が四角形の平面を成す平面突出部３４ａを有するものである。平面突出部３４ａは、その上下端部にてのみ立上げ片３４ｂにより側縁折曲片２３に連続している。したがって、平面突出部３４ａは、立上げ片３４ｂにより所定高さに持ち上げられた形状を成し、その内側に側縁折曲片２３に平行な通孔３４ｃが形成されている。一方、図６（ａ）に示すように、係合孔３５は、側板１１に形成された透孔である。係合孔３５は、平面突出部３４ａを貫通させる大きさの孔部３５ａと、突片３５ｂを残すようにこの突片３５ｂの上下に形成された二つの細幅孔部３５ｃとから形成されている。この細幅孔部３５ｃの高さ方向の寸法（幅寸法）は、立上げ片３４ｂの板厚より僅かに大きく形成されている。
【００２７】
ねじ止め具３３は、図６（ａ）及び図６（ｂ）に示すように、エンドキャップ８の側縁折曲片２３に形成されたねじ孔３３ａと、側板１１に形成されたねじ挿通孔３３ｂと、ねじ挿通孔３３ｂから挿入されてねじ孔３３ａにねじ止めされるねじ３３ｃとから構成されている。
【００２８】
（エンドキャップの取付方法）
エンドキャップ８の取付に際しては、図３及び図６（ａ）に示されるような位置関係に直線ダクトの末端開口部７の前にエンドキャップ８を配置する。次いで、直線ダクト２の天板１２が側板１１より若干突出しているので、エンドキャップ８の上縁折曲片２２を天板１２の内面に沿うように末端開口端部から直線ダクトの内部に挿入する。そしてさらに、スリット３１の中に直線ダクト２における側板１１の下方に形成された段差部１５をスライド式に挿入させる。
【００２９】
このように末端開口部７からエンドキャップ８を直線ダクト２内に挿入していくと、図７（ａ）〜図７（ｄ）に示す段階を経て爪係合具３２が係合される。すなわち、図７（ａ）に示すように、エンドキャップ８を直線ダクト２内に挿入する初期の段階においては、側縁折曲片２３を強制的に内部に撓ませてスライド突起部３４を側板１１の内面に沿って内部に進むようにする。この場合において、側縁折曲片２３は、図５に示すように、上端部においては傾斜折曲片２５との間に隙間２３ａが形成されるとともに、下端部においては下縁折曲片２４との間に隙間２３ｂが形成されているので、側縁折曲片２３を撓ませることが可能となっている。
【００３０】
そしてさらにエンドキャップ８を直線ダクト２内に挿入していくと、図７（ｂ）に示すように、平面突出部３４ａが孔部３５ａに嵌る。また、図６（ｂ）に示すように、段差部１５の先端がスリット３１の最奥部（終端）に当接する位置までエンドキャップ８を直線ダクト２内へ挿入すると、エンドキャップが設定位置に到達し、図７（ｃ）及び図７（ｄ）に示すように、係合孔３５に形成されている突片３５ｂがスライド突起部３４の通孔３４ｃの中に差し込まれる。
【００３１】
また、このとき一方のねじ止め具３３に関しても、エンドキャップ８のねじ孔３３ａと側板１１のねじ挿通孔３３ｂとの孔位置が略一致する状態となる。したがって、この状態にあっては、直ちにねじ３３ｃをねじ挿通孔３３ｂから挿入し、ねじ孔３３ａに容易に螺合させることができる。
【００３２】
このようにしてエンドキャップ８が取り付けられと、図８に示すように、エンドキャップ８の上縁折曲片２２及び傾斜折曲片２５は天板１２の内面に沿うように挿入された状態となる。また、補助上縁折曲片２６を含む側縁折曲片２３におけるスリット３１より上方の部分は、側板１１の内側に挿入される。また、側縁折曲片２３におけるスリット３１より下方の部分は、側板１１の外側を覆う状態となる。一方、蓋板部２１は、図２に示すように、天板１２の先端と面一になるように配置される。このとき、エンドキャップ８の下縁折曲片２４及び補助下縁折曲片２７は、蓋板部２１と直線ダクト２の底面との間に位置するように形成され、エンドキャップ８の下方の体裁を整えている。
【００３３】
（本実施の形態の効果）
本実施の形態に係る配管用ダクトにおける末端開口部の閉塞構造は、以上のように構成され組み立てられるので、次のような効果を奏することができる。
（１）直線ダクト２における下の段差部１５がスリット３１内にスライドするようにエンドキャップ８を直線ダクト２内に挿入させることにより、エンドキャップ８を所定位置近傍で仮止めすることができるので、取付が容易となる。
【００３４】
（２）エンドキャップ８を取り付けることにより、直線ダクト２の末端開口部７が閉塞されると同時に直線ダクト２の末端開口部７の下端部が、エンドキャップ８の側縁折曲片２３の下方部で覆われるので、直線ダクト２の末端開口部付近の見栄えが良好になる。
【００３５】
（３）直線ダクト２の末端開口部７にエンドキャップ８を取り付けた状態において、直線ダクト２の底面先端部とエンドキャップ８との間に隙間が形成されないので、より一層見栄えが向上する。
【００３６】
（４）スリット３１は、直線ダクト２に対するエンドキャップ８の位置決めをするように位置及び長さが設定されているので、エンドキャップ８を直線ダクト２内に挿入するだけでエンドキャップ８が最終的に位置決めされるので、取付作業が容易になる。
【００３７】
（５）本末端開口部７の閉塞構造は、エンドキャップ８を末端開口部７に固定する固定具を有する。そして、固定具として、下の段差部１５の端部がスリット３１の終端に当接するようにエンドキャップ８を直線ダクト２内へスライドさせることにより、その他の手作業を必要とせずに係合する爪係合具３２を有する。したがって、爪係合具３２の係合には手間がかからない。
【００３８】
（６）また、前記固定具は、側板１１に形成されたねじ挿通孔３３ｂと、側縁折曲片２３に形成されたねじ孔３３ａと、ねじ挿通孔３３ｂから挿入してねじ孔３３ａに螺合するねじ３３ｃとを備えたねじ止め具３３をさらに有するものである。そして、段差部１５の先端がスリット３１の終端に当接するようにエンドキャップ８を直線ダクト２内へスライドさせることにより、その他の手作業を必要とせずにねじ挿通孔３３ｂとねじ孔３３ａとが位置合わせされるように構成されている。したがって、ねじ止め具３３における孔の位置合わせが不要となるので、ねじ止め具３３の締結作業が容易化される。
【００３９】
［変形例］
上記の各実施の形態に関する説明は、本発明に従う配管用ダクトにおける末端開口部の閉塞構造が取り得る形態の例示であり、その形態を制限することを意図していない。本発明に従う配管用ダクトにおける末端開口部の閉塞構造は、例えば以下に示される上記の実施の形態の変形例、及び、相互に矛盾しない少なくとも二つの変形例が組み合わされた形態を取り得る。
【００４０】
・前記実施の形態においては、直線ダクト２もエンドキャップ８も板金で形成されるのが一般的である。特に、直線ダクト２は人が上に乗ることも想定されるので強度の点から板金製であることが好ましい。しかしながら、エンドキャップ８については、そこまでの強度は不要と考えられので、剛性のある樹脂製としてもよい。
【００４１】
・エンドキャップ８は、末端開口部７へ確実に取り付けられることが必要であるが、見栄えの方を多少犠牲にするならば、蓋板部２１の端部に形成される折曲片として傾斜折曲片２５、下縁折曲片２４、補助上縁折曲片２６及び補助下縁折曲片２７は省略することも可能である。
【００４２】
・前記実施の形態においては、固定具として爪係合具３２とねじ止め具３３とを設けていたが、何れか一方を省略してもよい。
・また、爪係合具３２及びねじ止め具３３の個数を変更してもよい。例えば、爪係合具３２とねじ止め具３３との位置及び個数を入れ替えてもよい。また、ねじ止め具３３を省略する場合に爪係合具３２の個数を３個とするなどである。
【符号の説明】
【００４３】
Ｔ  段差
２  直線ダクト
７  末端開口部
８  エンドキャップ
１１  側板
１２  天板
１３  中央部
１５  下の段差部
２１  蓋板部
２２  上縁折曲片
２３  側縁折曲片
２４  下縁折曲片
３１  スリット
３２  爪係合具
３３  ねじ止め具
３３ａ  ねじ孔
３３ｂ  ねじ挿通孔
３３ｃ  ねじ
【図１】
0006367851.tif 000002
【図２】
0006367851.tif 000003
【図３】
0006367851.tif 000004
【図４】
0006367851.tif 000005
【図５】
0006367851.tif 000006
【図６】
0006367851.tif 000007
【図７】
0006367851.tif 000008
【図８】
0006367851.tif 000009